(57)【要約】  マルチタイプ空調システムは、室外熱交換器を有する室外ユニットと、室外熱交換器を通過した冷媒が流入する膨張弁および膨張弁で減圧された冷媒と空気との間で熱交換を行なう室内熱交換器を有する複数の室内ユニットと、室外ユニットに対し複数の室内ユニットを並列に接続するとともに冷媒が流れる冷媒配管と、を備えている。室内ユニット内に位置する冷媒配管は、膨張弁よりも冷媒の流れ方向に沿う上流側の箇所に複数本のキャピラリを有し、当該キャピラリが冷媒配管に対し並列に接続されている。
2019044661.tif 000002
【特許請求の範囲】
【請求項１】
圧縮機で圧縮された冷媒と空気との間で熱交換を行なう室外熱交換器を有する室外ユニットと、
前記室外熱交換器を通過した冷媒が流入する膨張弁と、当該膨張弁で減圧された冷媒と空気との間で熱交換を行なう室内熱交換器と、を有し、空調すべき室内に露出される複数の室内ユニットと、
前記室外ユニットに対し複数の前記室内ユニットを並列に接続するとともに、前記室外ユニットと前記室内ユニットとの間で循環する冷媒が流れる冷媒配管と、を備えたマルチタイプ空調システムにおいて、
前記室内ユニット内に位置する前記冷媒配管は、前記膨張弁よりも冷媒の流れ方向に沿う上流側の箇所に複数本のキャピラリを有し、当該キャピラリが前記冷媒配管に対し並列に接続されたマルチタイプ空調システム。
【請求項２】
前記キャピラリは、予め決められた全長を有する直管であって、前記膨張弁に向けて流れる冷媒の流速を増加させる請求項１に記載のマルチタイプ空調システム。
【請求項３】
前記キャピラリの上流端と前記冷媒配管との間を接続する分岐管部と、前記キャピラリの下流端と前記冷媒配管との間を接続する合流管部と、をさらに備えた請求項１又は請求項２に記載のマルチタイプ空調システム。
【請求項４】
前記室内ユニットは、空調すべき室内に露出された壁掛け形であり、複数の前記キャピラリが互いに間隔を存して水平に配置された請求項２に記載のマルチタイプ空調システム。
【請求項５】
前記膨張弁の口径をｄ１、前記キャピラリの内径をｄ２、前記分岐管部に接続された前記冷媒配管の内径をｄ３および前記キャピラリの本数をｎとした時、
ｄ１＜ｄ２×ｎ＜ｄ３
の関係を満たす請求項３に記載のマルチタイプ空調システム。
【請求項６】
冷房運転時および除霜運転時においては、前記室外熱交換器を通過した冷媒の流れが複数の前記キャピラリに分岐されるとともに、複数の前記キャピラリを通過した冷媒が互いに合流した状態で前記膨張弁に導かれる請求項１に記載のマルチタイプ空調システム。
【請求項７】
膨張弁と、
当該膨張弁に室外ユニットで熱交換された冷媒を導く冷媒配管と、
前記膨張弁で減圧された冷媒との間で熱交換を行なう室内熱交換器と、を有し、
前記冷媒配管のうち前記膨張弁よりも冷媒の流れ方向に沿う上流側の箇所に、前記冷媒配管に対し並列に接続された複数本のキャピラリが設けられた室内ユニット。
【請求項８】
前記キャピラリは、予め決められた全長を有する直管であって、前記膨張弁に向けて流れる冷媒の流速を増加させる請求項７に記載の室内ユニット。
【請求項９】
前記キャピラリの上流端と前記冷媒配管との間を接続する分岐管部と、前記キャピラリの下流端と前記冷媒配管との間を接続する合流管部と、をさらに備えた請求項７又は請求項８に記載の室内ユニット
【請求項１０】
前記膨張弁の口径をｄ１、前記キャピラリの内径をｄ２、前記分岐管部に接続された前記冷媒配管の内径をｄ３および前記キャピラリの本数をｎとした時、
ｄ１＜ｄ２×ｎ＜ｄ３
の関係を満たす請求項９に記載の室内ユニット。
【発明の詳細な説明】
【技術分野】
【０００１】
本発明の実施形態は、マルチタイプ空調システムおよび室内ユニットに関する。
【背景技術】
【０００２】
例えば一つの室外ユニットに複数の室内ユニットが接続されたマルチタイプ空調システムでは、各室内ユニットに供給される冷媒の量が室温あるいは室内ユニットの使用状況等により刻々と変化する。このため、複数の室内ユニットに対する冷媒の流れ具合によっては、室外ユニットから室内ユニットに供給される冷媒が液相流から気液二相流の状態に変化することがあり得る。【０００３】
気液二相流の冷媒が室内ユニットの膨張弁に流入すると、耳障りな冷媒流動音が発生することが知られている。すなわち、冷媒流動音は、気液二相流の流動様式に依存しており、冷媒の流れの中に不均一の気泡が断続的に存在するスラグ流あるいはフロス流が圧力脈動を伴いながら膨張弁に流入した時に、当該膨張弁から間欠的に大きな異音が発生する。【０００４】
膨張弁が発する冷媒流動音を低減させるため、従来の室内ユニットでは、膨張弁の口径を冷媒配管の内径よりも小さくしたり、あるいは冷媒配管のうち膨張弁よりも上流側に位置する箇所に、冷媒の流れを一旦複数に分岐した後、再度合流させる分岐合流部を設けることが試されている。【０００５】
この構成によれば、膨張弁に導かれる冷媒の流れがスラグ流あるいはフログ流からより安定した連続的な流れに移行し、気液二相流に起因する冷媒流動音を低減することができる。
【先行技術文献】
【特許文献】
【０００６】
【特許文献１】特開平９−２９２１６６号公報
【特許文献２】特開平９−３１８１９８号公報
【発明の概要】
【発明が解決しようとする課題】
【０００７】
しかしながら、例えば冷媒を室内ユニットに送り出す圧縮機の回転数が低下したり、暖房運転中に除霜運転に移行した時のように、冷媒配管内の急激な圧力変化により冷媒の気液二相化が生じた場合に、単に膨張弁の口径を小径化するだけの対応では、冷媒流動音を抑制することが困難となるのを否めない。【０００８】
さらに、例えばマルチタイプ空調システムの起動時あるいは暖房運転中に除霜運転に移行した時のように、冷媒配管を流れる冷媒の流速が十分でない場合は、膨張弁の上流側に位置する分岐合流部において気液を十分に混合させることが困難となることが予測される。【０００９】
本発明の目的は、冷媒が気液二相流の状態で膨張弁に流入した時に生じる冷媒流動音を低減させることができ、静粛な運転が可能な室内ユニットを有するマルチタイプ空調システムを得ることにある。
【課題を解決するための手段】
【００１０】
実施形態によれば、マルチタイプ空調システムは、圧縮機で圧縮された冷媒と空気との間で熱交換を行なう室外熱交換器を有する室外ユニットと、前記室外熱交換器を通過した冷媒が流入する膨張弁および当該膨張弁で減圧された冷媒と空気との間で熱交換を行なう室内熱交換器を有する複数の室内ユニットと、前記室外ユニットに対し複数の前記室内ユニットを並列に接続するとともに、前記室外ユニットと前記室内ユニットとの間で循環する冷媒が流れる冷媒配管と、を備えている。【００１１】
前記室内ユニット内に位置する前記冷媒配管は、前記膨張弁よりも冷媒の流れ方向に沿う上流側の箇所に複数本のキャピラリを有し、当該キャピラリが前記冷媒配管に対し並列に接続されている。
【図面の簡単な説明】
【００１２】
【図１】図１は、実施形態に係るマルチタイプ空調システムの冷凍サイクルを示す回路図である。
【図２】図２は、マルチタイプ空調システムに用いる壁掛け形の室内ユニットの斜視図である。
【図３】図３は、壁掛け形の室内ユニットの断面図である。
【図４】図４は、室内熱交換器、膨張弁およびキャピラリ部の位置関係を示す室内ユニットの平面図である。
【図５】図５は、マルチタイプ空調システムに用いる膨張弁の断面図である。
【図６】図６は、図４のキャピラリ部を拡大して示す平面図である。
【発明を実施するための形態】
【００１３】
以下、実施形態について図面を参照して説明する。
【００１４】
図１は、例えば中低層ビルあるいは店舗用建物に用いられるマルチタイプ空調システム１の冷凍サイクルを示す回路図である。本実施形態に係るマルチタイプ空調システム１は、一台の室外ユニット２、三台の室内ユニット３および室外ユニット２と室内ユニット３との間を循環する冷媒が流れる冷媒配管４を備えている。
【００１５】
具体的に述べると、室外ユニット２は、密閉形圧縮機５、四方弁６、室外熱交換器７、第１の膨張弁８およびアキュームレータ９を含んでいる。図１に示すように、密閉形圧縮機５の吐出口は、四方弁６の第１ポート６ａに接続されている。四方弁６の第２ポート６ｂは、室外熱交換器７に接続されている。室外熱交換器７は、第１の膨張弁８に接続されている。さらに、四方弁６の第３ポート６ｃは、アキュームレータ９に接続されている。アキュームレータ９は、サクションカップ１０を介して密閉形圧縮機５の吸入口に接続されている。
【００１６】
三台の室内ユニット３は、四方弁６の第４ポート６ｄと第１の膨張弁８との間に並列に接続されている。各室内ユニット３は、第２の膨張弁１２および室内熱交換器１３を有している。第２の膨張弁１２は、第１の膨張弁８と室内熱交換器１３との間に介在されているとともに、第１の膨張弁８および室内熱交換器１３に接続されている。室内熱交換器１３は、四方弁６の第４ポート６ｄに接続されている。
【００１７】
マルチタイプ空調システム１が冷房運転を行う場合、四方弁６は、第１ポート６ａが第２ポート６ｂに連通し、第３ポート６ｃが第４ポート６ｄに連通するように切り替わる。冷房運転が開始されると、密閉形圧縮機５で圧縮された高温・高圧の気相冷媒が冷媒配管４に吐出される。高温・高圧の気相冷媒は、四方弁６を経由して凝縮器として機能する室外熱交換器７に導かれる。
【００１８】
室外熱交換器７に導かれた気相冷媒は、送風ファン１１から送られる室外の空気との熱交換により凝縮し、高圧の液相冷媒に変化する。高圧の液相冷媒は、第１の膨張弁８を通過する過程で減圧された後に、三台の室内ユニット３に分配される。
【００１９】
すなわち、第１の膨張弁８を通過した冷媒は、各室内ユニット３の第２の膨張弁１２を通過する過程で再び減圧されて低圧の気液二相流に変化する。気液二相冷媒は、蒸発器として機能する室内熱交換器１３に導かれる。室内熱交換器１３に導かれた気液二相冷媒は、室内熱交換器１３を通過する過程で送風ファン１４から送られる室内の空気と熱交換する。
【００２０】
この結果、気液二相冷媒は、室内の空気から熱を奪って蒸発し、低温・低圧の気相冷媒に変化する。室内熱交換器１３を通過する空気は、液相冷媒の蒸発潜熱により冷やされ、冷風となって冷房すべき室内に送風される。
【００２１】
室内熱交換器１３を通過した低温・低圧の気相冷媒は、四方弁６からアキュームレータ９およびサクションカップ１０を経由して密閉形圧縮機５に吸い込まれる。密閉形圧縮機５に吸い込まれた気相冷媒は、再び高温・高圧の気相冷媒に圧縮されて冷媒配管４に吐出される。
【００２２】
一方、マルチタイプ空調システム１が暖房運転を行う場合、四方弁６は、第１ポート６ａが第４ポート６ｄに連通し、第２ポート６ｂが第３ポート６ｃに連通するように切り替わる。暖房運転が開始されると、密閉形圧縮機５で圧縮された高温・高圧の気相冷媒は、四方弁６を経由して三台の室内ユニット３の室内熱交換器１３に分配され、凝縮器として機能する室内熱交換器１３を通過する過程で送風ファン１４から送られる室内の空気と熱交換する。
【００２３】
この結果、室内熱交換器１３を通過する気相冷媒は、室内の空気と熱交換することにより凝縮し、高圧の液相冷媒に変化する。室内熱交換器１３を通過する空気は、気相冷媒との熱交換により加熱され、温風となって暖房すべき室内に送風される。
【００２４】
室内熱交換器１３を通過した高圧の液相冷媒は、第２の膨張弁１２および第１の膨張弁８を通過する過程で減圧されて、低圧の気液二相流に変化する。気液二相冷媒は、蒸発器として機能する室外熱交換器７に導かれるとともに、ここで送風機１１から送られる室外の空気との熱交換により蒸発し、低温・低圧の気相冷媒に変化する。室外熱交換器７を通過した低温・低圧の気相冷媒は、冷房運転の時と同様に、四方弁６からアキュームレータ９およびサクションカップ１０を経由して密閉形圧縮機５に吸い込まれる。
【００２５】
暖房運転中に室外熱交換器７に霜が付着した場合、霜を取り除く除霜運転に移行する。除霜運転では、四方弁６が暖房運転から冷房運転の状態に切り替わるとともに、送風ファン１１が停止する。これにより、密閉形圧縮機５で圧縮された高温の気相冷媒が室外熱交換器７に導かれ、室外熱交換器７に付着した霜を溶かす。
【００２６】
図２および図３に示すように、本実施形態の室内ユニット３は、空調すべき室Ｒの壁面Ｗの上部に据え付けられた壁掛け形であり、壁面Ｗに固定された筐体２０を有している。筐体２０は、前面パネル２１、背面パネル２２および左右の側面パネル２３を有する箱形の要素である。筐体２０は、壁面Ｗから空調すべき室Ｒ内に突出されているとともに、壁面Ｗに沿って横方向に延びている。
【００２７】
さらに、筐体２０は、吸込口２４および吹出口２５を有している。吸込口２４は、筐体２０の上面に開口されている。吹出口２５は、筐体２０の下面に開口されている。吹出口２５には、空調された空気の吹き出し方向を筐体２０の上下方向に変化させる水平ルーバ２６と、空調された空気の吹き出し方向を筐体２０の左右方向に変化させる複数の縦ルーバ２７（一つのみを図示）が配置されている。
【００２８】
図３に示すように、筐体２０の内部は、熱交換室２８と配管収容室２９とに区分けされている。熱交換室２８は、筐体２０の内部の多くの領域を占有するとともに、当該熱交換室２８に吸込口２４および吹出口２５が連通されている。配管収容室２９は、カバー３０で囲うことにより、熱交換室２８から隔てられている。配管収容室２９は、熱交換室２８に対し筐体２０の幅方向に沿う一方側にずれているとともに、熱交換室２８の上部の背後に位置されている。
【００２９】
前記室内熱交換器１３、前記送風ファン１４およびフィルタ３３が熱交換室２８に収容されている。室内熱交換器１３は、前面パネル２１の背後で起立された板状の要素であって、複数の冷却フィン３４および冷媒が流れる複数の伝熱管３５を備えている。
【００３０】
冷却フィン３４は、筐体２０の高さ方向に延びるとともに、筐体２０の幅方向に間隔を存して一列に並んでいる。伝熱管３５は、筐体２０の高さ方向および奥行方向に間隔を存して並んでいるとともに、互いに独立した複数の冷媒流路（パス）を規定している。さらに、伝熱管３５は、冷却フィン３４に熱的に接続されている。
【００３１】
送風ファン１４は、室内熱交換器１３の背後で筐体２０の幅方向に水平に配置されている。そのため、本実施形態では、送風ファン１４と筐体２０の吸込口２４との間に室内熱交換器１３が介在され、送風ファン１４の真下に水平ルーバ２６および縦ルーバ２７を有する吹出口２５が位置されている。
【００３２】
フィルタ３３は、筐体２０の前面パネル２１および吸込口２４と向かい合うように熱交換室２８に取り外し可能に支持されている。送風ファン１４が運転を開始すると、空調すべき室Ｒ内の空気が吸込口２４から熱交換室２８に吸い込まれる。熱交換室２８に吸い込まれた空気は、フィルタ３３で濾過された後、室内熱交換器１３に導かれる。室内熱交換器１３を通過した空気は、縦ルーバ２７および水平ルーバ２６で吹き出し方向が変更された後、吹出口２５から空調すべき室Ｒ内に吐き出される。
【００３３】
図３および図４に示すように、前記第２の膨張弁１２および液側配管３７が筐体２０の配管収容室２９に収容されている。液側配管３７は、冷媒配管４のうち第１の膨張弁８と室内ユニット３の室内熱交換器１３との間を結ぶ部分を構成している。
【００３４】
図４および図５に示すように、第２の膨張弁１２は、液側配管３７の中間部に接続されている。第２の膨張弁１２は、液側配管３７を入口管部３７ａと出口管部３７ｂとに区分けしている。入口管部３７ａおよび出口管部３７ｂは、配管収容室２９内で筐体２０の幅方向に水平に延びているとともに、筐体２０の高さ方向に互いに間隔を平行に配置されている。入口管部３７ａの下流端部は、上向きに直角に折り曲げられている。
【００３５】
第２の膨張弁１２は、弁本体４０および駆動部４１を備えている。弁本体４０の内部に冷媒通路４２が形成されている。冷媒通路４２は、冷媒導入部４２ａおよび冷媒導出部４２ｂを有している。冷媒導入部４２ａに液側配管３７の入口管部３７ａの下流端が接続されている。冷媒導出部４２ｂに液側配管３７の出口管部３７ｂの上流端が接続されている。
【００３６】
さらに、冷媒導入部４２ａおよび冷媒導出部４２ｂは、弁本体４０の内部で互いに交差されている。冷媒導入部４２ａおよび冷媒導出部４２ｂが交差する箇所には、弁座４３が形成されている。
【００３７】
本実施形態の弁本体４０は、冷媒導出部４２ｂとは反対側に向けて突出されたニードル支持部４４を有している。ニードル挿通孔４５がニードル支持部４４の内部に形成されている。ニードル挿通孔４５は、冷媒導出部４２ｂと同軸状に位置されている。
【００３８】
弁体としてのニードル４７がニードル挿通孔４５に軸方向に摺動可能に挿入されている。ニードル４７は、全閉位置と開放位置との間で移動可能にニードル支持部４４に支持されている。
【００３９】
全閉位置では、ニードル４７の軸方向に沿う一端に位置する先細り状の頭部４７ａが弁座４３に着座し、冷媒導入部４２ａと冷媒導出部４２ｂとの間の連通を遮断する。開放位置では、ニードル４７の頭部４７ａが弁座４３から離脱するとともに、頭部４７ａと弁座４３との間の通路面積が増減される。これにより、冷媒導入部４２ａから冷媒導出部４２ｂに向けて流れる冷媒の流量が制御される。
【００４０】
第２の膨張弁１２の駆動部４１は、ニードル４７を軸方向に移動させる要素であって、モータ４８および電磁石４９を主要な要素として備えている。モータ４８は、ニードル支持部４４の外周面にねじ込まれた筒状のロータ部５１と、ロータ部５１の外周面に嵌合された筒状のスペーサ５２と、スペーサ５２の外周面に固定された電磁石５３と、を有している。ロータ部５１の先端は、ニードル４７の頭部４７ａとは反対側の端部４７ｂに係合子５４を介して連結されている。
【００４１】
さらに、モータ４８は、ニードル支持部４４と共にケース５５で覆われている。電磁石４９は、ケース５５の外側から電磁石５３を取り囲んでいる。
【００４２】
モータ４８のロータ部５１は、電磁石４９への通電量に応じて回転する。ロータ部５１は、ニードル支持部４４にねじ込まれているので、回転することでニードル支持部４４の軸方向に移動する。当該ロータ部５１の動きがニードル４７に伝わることで、ニードル４７が全閉位置と開放位置との間で直線的に移動する。これにより、冷媒導入部４２ａから冷媒導出部４２ｂに向けて流れる冷媒の流量制御が行なわれる。
【００４３】
図４および図６に示すように、液側配管３７の入口管部３７ａの途中にキャピラリ部６０が設けられている。キャピラリ部６０は、第２の膨張弁１２に対し、冷房運転時の冷媒の流れ方向に沿う上流側に位置されている。
【００４４】
キャピラリ部６０は、二本のキャピラリ６１ａ，６１ｂ、分岐管部６２および合流管部６３を備えている。キャピラリ６１ａ，６１ｂは、夫々予め決められた長さＬおよび内径ｄ２を有する直管で構成されている。本実施形態では、キャピラリ６１ａ，６１ｂの長さＬが８０ｍｍ、キャピラリ６１ａ，６１ｂの内径ｄ２が２ｍｍに設定されている。
【００４５】
分岐管部６２は、液側配管３７が接続された一つの第１の接続口６４と、第１の接続口６４から二つに分岐された一対の第２の接続口６５ａ，６５ｂと、を有している。合流管部６３は、入口管部３７ａが接続された一つの第３の接続口６６と、第３の接続口６６から二つに分岐された一対の第４の接続口６７ａ，６７ｂと、を有している。
【００４６】
一方のキャピラリ６１ａは、分岐管部６２の第２の接続口６５ａと合流管部６３の第４の接続口６７ａとの間に架け渡されている。他方のキャピラリ６１ｂは、分岐管部６２の第２の接続口６５ｂと合流管部６３の第４の接続口６７ｂとの間に架け渡されている。そのため、キャピラリ６１ａ，６１ｂは、例えば筐体２０の高さ方向に互いに間隔を存して平行となるように、液側配管３７の入口管部３７ａに対し並列に配置されている。
【００４７】
本実施形態では、各キャピラリ６１ａ，６１ｂの内径ｄ２は、第２の膨張弁１２の冷媒導入部４２ａの口径ｄ１と同等か、それよりも大きく設定されているとともに、液側配管３７の入口管部３７ａの内径ｄ３よりも小さく設定されている。さらに、ｄ１、ｄ２およびｄ３は、キャピラリ６１ａ，６１ｂの本数をｎとした時、
ｄ１＜ｄ２×ｎ＜ｄ３
の関係を満たすことが望ましい。
【００４８】
図４に示すように、液側配管３７の出口管部３７ｂは、分配器７０を介して複数の枝管７１に接続されている。枝管７１は、室内熱交換器１３が有する複数の冷媒流路（パス）の数に対応しており、当該枝管７１が冷媒流路の入口に接続されている。
【００４９】
さらに、室内熱交換器１３の複数の冷媒流路（パス）の出口は、ヘッダ７２で一つに合流された後、当該ヘッダ７２を介してガス側配管７３に接続されている。ガス側配管７３は、前記冷媒配管４のうち室内ユニット３の室内熱交換器１３と四方弁６の第４ポート６ｄとの間を結ぶ部分を構成している。
【００５０】
マルチタイプ空調システム１を冷房運転している状態において、第１の膨張弁８を通過した冷媒が、例えばスラグ流のように流れの中に不均一な気泡が断続的に含まれた流動様式であるとすると、当該冷媒が第２の膨張弁１２のニードル４７の頭部４７ａと弁座４３との間の隙間を通過する際に不快な冷媒流動音が発生する。
【００５１】
本実施形態の室内ユニット３では、第２の膨張弁１２よりも冷媒の流れ方向に沿う上流に二本のキャピラリ６１ａ，６１ｂを有するキャピラリ部６０が設けられている。このため、不均一な気泡を含む気液二相流の冷媒がキャピラリ部６０に到達すると、冷媒は、分岐管部６２で二つの流れに分岐された後、キャピラリ６１ａ，６１ｂに流入する。
【００５２】
キャピラリ６１ａ，６１ｂの内径ｄ２は、液側配管３７の入口管部３７ａの内径ｄ３よりも小さいので、キャピラリ６１ａ，６１ｂによる絞り効果で二つの流れに分岐された冷媒の流速が増大する。
【００５３】
これにより、キャピラリ６１ａ，６１ｂを通過する冷媒の流れがスラグ流から安定的な噴霧流の流動様式に変更される。すなわち、流速の増大に伴い、冷媒の流れが連続的となり、冷媒流動音の発生要因となる冷媒の間欠的な流れが解消される。
【００５４】
さらに、キャピラリ６１ａ，６１ｂを通過する過程で連続的な噴霧流に移行した冷媒は、合流管部６３で互いに合流する。これにより、冷媒中に含まれる気液の混合が促進され、合流管部６３から第２の膨張弁１２に向かう冷媒中に含まれる気泡が細分化された均一な冷媒の流れを形成することができる。
【００５５】
この結果、冷媒が第２の膨張弁１２のニードル４７の頭部４７ａと弁座４３との間の隙間の付近に到達した時点では、冷媒は、細かな気泡が液中に万遍なく連続的に混在するような流動様式に移行し、冷媒が前記隙間を通過する際の圧力変化を小さく抑えることができる。
【００５６】
したがって、例えばマルチタイプ空調システム１の起動時、暖房運転から除霜運転に移行した時のように、液側配管３７を流れる気液二相流の冷媒の流速が十分でない場合でも、室内ユニット３の第２の膨張弁１２が発する冷媒流動音を効率よく低減させることができ、静粛な運転が可能となる。
【００５７】
しかも、本実施形態では、第２の膨張弁１２の口径をｄ１、キャピラリ６１ａ，６１ｂの内径をｄ２、液側配管３７の入口管部３７ａの内径をｄ３、キャピラリ６１ａ，６１ｂの本数をｎとした時、
ｄ１＜ｄ２×ｎ＜ｄ３
の関係を満たしている。
【００５８】
これにより、第２の膨張弁１２の口径ｄ１に対しキャピラリ６１ａ，６１ｂの通路断面積の総和を十分に確保することができ、冷媒がキャピラリ６１ａ，６１ｂを通過する際の不必要な圧力損失を防ぐことができる。
【００５９】
加えて、個々のキャピラリ６１ａ，６１ｂの内径ｄ２が液側配管３７の入口管部３７ａの内径ｄ３よりも小さいので、キャピラリ６１ａ，６１ｂによる冷媒の絞り効果を十分に発揮させることができる。したがって、キャピラリ６１ａ，６１ｂを通過する冷媒の流速が高まり、第２の膨張弁１２に導かれる冷媒を流れをより均一化する上で好都合となる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６１】
例えばマルチタイプ空調システムの室外ユニットは、一台に限らず二台あるいは三台であってもよく、室外ユニットおよび室内ユニットの数に特に制約はない。
【００６２】
さらに、前記実施形態では、キャピラリの本数を二本としたが、キャピラリの本数に関しても制約はない。それとともに、キャピラリの内径は互いに同一である必要はなく、液側配管の入口管部よりも小径であれば、複数のキャピラリの内径を互いに異ならせてもよい。
【００６３】
加えて、キャピラリは水平に配置することに限らず、筐体内に十分なスペースを確保できるのであれば、例えばキャピラリを筐体内で起立させるようにしてもよい。
【符号の説明】
【００６４】
１…マルチタイプ空調システム、２…室外ユニット、３…室内ユニット、４…冷媒配管、５…圧縮機（密閉形圧縮機）、７…室外熱交換器、１２…膨張弁(第２の膨張弁)、１３…室内熱交換器、６１ａ，６１ｂ…キャピラリ。
【図１】
2019044661.tif 000003
【図２】
2019044661.tif 000004
【図３】
2019044661.tif 000005
【図４】
2019044661.tif 000006
【図５】
2019044661.tif 000007
【図６】
2019044661.tif 000008
【国際調査報告】
2019044661.tif 000009
2019044661.tif 000010
2019044661.tif 000011
2019044661.tif 000012